(57)【要約】【課題】一例として、フレキシブルディスプレイを有することによる不都合がより生じ難いテレビジョン受像機および電子機器を得る。【解決手段】実施形態にかかるテレビジョン受像機は、ディスプレイと、筐体と、ドライバ基板と、を備える。ディスプレイは、画像を見ることができる前面と当該前面の反対側の後面とを有し、屈曲可能なシート状である。筐体は、第一の壁部と、第二の壁部と、第三の壁部と、を有する。第一の壁部は、ディスプレイを支持し後面を覆う。第二の壁部は、第一の壁部のディスプレイとは反対側で第一の壁部との間に隙間をあけて位置される。第三の壁部は、第一の壁部の周縁部と第二の壁部の周縁部との間に亘る。ディスプレイのドライバ基板は、第一の壁部のディスプレイとは反対側に設けられフラットケーブルを介してディスプレイと電気的に接続される。【選択図】図３
2014048362.tif 000002
【特許請求の範囲】
【請求項１】
画像を見ることができる前面と当該前面の反対側の後面とを有した屈曲可能なシート状のディスプレイと、
前記ディスプレイを支持し前記後面を覆う第一の壁部と、当該第一の壁部の前記ディスプレイとは反対側で前記第一の壁部との間に隙間をあけて位置された第二の壁部と、前記第一の壁部の周縁部と前記第二の壁部の周縁部との間に亘る第三の壁部と、を有した筐体と、
前記第一の壁部の前記ディスプレイとは反対側に設けられフラットケーブルを介して前記ディスプレイと電気的に接続された当該ディスプレイのドライバ基板と、
を備えた、テレビジョン受像機。
【請求項２】
前記第一の壁部に、前記フラットケーブルが通る開口部が設けられた、請求項１に記載のテレビジョン受像機。
【請求項３】
前記開口部の縁に、前記フラットケーブルの屈曲に沿った曲部が設けられた、請求項２に記載のテレビジョン受像機。
【請求項４】
前記筐体内にアンテナが設けられ、
前記第一の壁部に設けられた第二の開口部と、前記アンテナとが、前記筐体の厚さ方向に重なった、請求項２または３に記載のテレビジョン受像機。
【請求項５】
前記開口部が前記第一の壁部の一方側の端部に位置され、前記第二の開口部の少なくとも一つが前記第一の壁部の他方側の端部に位置された、請求項４に記載のテレビジョン受像機。
【請求項６】
前記フラットケーブルが、前記後面に接合された、請求項１〜５のうちいずれか一つに記載のテレビジョン受像機。
【請求項７】
前記第一の壁部が、導電部材で構成されるとともに、前記前面の周縁部より外側で前記前面の前方側の前記筐体外に露出した露出部を有した、請求項１〜６のうちいずれか一つに記載のテレビジョン受像機。
【請求項８】
前記露出部に、前記筐体外側と前記筐体内側とに亘る第三の開口部が設けられ、
前記第三の開口部の少なくとも一部に、前記第一の壁部の導電性の部分が面した、請求項７に記載のテレビジョン受像機。
【請求項９】
画像を見ることができる前面と当該前面の反対側の後面とを有したシート状のディスプレイと、
部品が収容された収容室を構成した筐体と、
前記筐体の一部であり前記ディスプレイの前記後面を支持した壁部と、
前記壁部の前記ディスプレイとは反対側に設けられフラットケーブルを介して前記ディスプレイと電気的に接続された基板と、
を備えた、電子機器。
【請求項１０】
画像を見ることができる前面と当該前面の反対側の後面とを有したシート状のディスプレイと、
前記ディスプレイを支持し前記後面を覆うとともに少なくとも一部が露出した支持部と、
前記支持部の前記ディスプレイとは反対側に設けられフラットケーブルを介して前記ディスプレイと電気的に接続された基板と、
前記支持部の一端側に設けられ、前記基板を覆った覆部と、
を備えた、電子機器。
【請求項１１】
前記支持部の少なくとも露出した部分が可撓性を有した、請求項１０に記載の電子機器。
【発明の詳細な説明】
【技術分野】
【０００１】
本発明の実施形態は、テレビジョン受像機および電子機器に関する。
【背景技術】
【０００２】
従来、フレキシブルディスプレイを有した電子機器が知られている。
【先行技術文献】
【特許文献】
【０００３】
【特許文献１】特開２００７−１２８０７８号公報
【発明の概要】
【発明が解決しようとする課題】
【０００４】
この種の電子機器では、例えば、フレキシブルディスプレイのドライバ基板のレイアウトに関する不都合など、フレキシブルディスプレイを有することによる不都合がより少ないのが好ましい。
【０００５】
そこで、本発明の実施形態は、一例として、フレキシブルディスプレイを有することによる不都合がより生じ難いテレビジョン受像機および電子機器を得ることを目的の一つとする。
【課題を解決するための手段】
【０００６】
本発明の実施形態にかかるテレビジョン受像機は、ディスプレイと、筐体と、ドライバ基板と、を備える。ディスプレイは、画像を見ることができる前面と当該前面の反対側の後面とを有し、屈曲可能なシート状である。筐体は、第一の壁部と、第二の壁部と、第三の壁部と、を有する。第一の壁部は、ディスプレイを支持し後面を覆う。第二の壁部は、第一の壁部のディスプレイとは反対側で第一の壁部との間に隙間をあけて位置される。第三の壁部は、第一の壁部の周縁部と第二の壁部の周縁部との間に亘る。ディスプレイのドライバ基板は、第一の壁部のディスプレイとは反対側に設けられフラットケーブルを介してディスプレイと電気的に接続される。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、図１のテレビジョン受像機のIII−III線での模式的な断面図である。
【図４】図４は、第１実施形態にかかるテレビジョン受像機の一例の第二の部材と第三の部材との結合部分が示された模式的な断面図である。
【図５】図５は、第２実施形態にかかる電子機器の一例が示された斜視図である。
【図６】図６は、図５の電子機器のVI−VI線での模式的な断面図である。
【図７】図７は、第２実施形態にかかる電子機器の一例のディスプレイを含むサブアセンブリの模式的な平面図（前面図）である。
【図８】図８は、第２実施形態にかかる電子機器の一例のディスプレイが取り付けられた第一の部材の模式的な平面図（後面図）である。
【図９】図９は、第２実施形態の第１変形例にかかる電子機器の一例が示された断面図である。
【図１０】図１０は、第２実施形態の第２変形例にかかる電子機器の一例が示された断面図である。
【図１１】図１１は、第２実施形態の第３変形例にかかる電子機器の一例が示された断面図である。
【図１２】図１２は、第２実施形態の第４変形例にかかる電子機器の一例が示された断面図である。
【図１３】図１３は、第２実施形態の第５変形例にかかる電子機器の一例が示された断面図である。
【図１４】図１４は、第２実施形態の第６変形例にかかる電子機器の一例が示された断面図である。
【図１５】図１５は、第２実施形態の第６変形例にかかる電子機器の一例のディスプレイが取り付けられた第一の部材の模式的な平面図（後面図）である。
【図１６】図１６は、第２実施形態の第７変形例にかかる電子機器の一例が示された平面図である。
【図１７】図１７は、図１６の電子機器のXVII−XVII線での模式的な断面図である。
【図１８】図１８は、図１６の電子機器のXVIII−XVIII線での模式的な断面図である。
【図１９】図１９は、第３実施形態にかかる電子機器の一例が示された断面図である。
【図２０】図２０は、第３実施形態にかかる電子機器の一例の第一の部材が示された斜視図である。
【図２１】図２１は、第３実施形態の第１変形例にかかる電子機器の一例が示された断面図である。
【図２２】図２２は、第３実施形態の第１変形例にかかる電子機器の一例の第一の部材が示された斜視図である。
【図２３】図２３は、第３実施形態の第２変形例にかかる電子機器の一例の第一の部材が示された斜視図である。
【図２４】図２４は、第３実施形態の第３変形例にかかる電子機器の一例の第一の部材が示された斜視図である。
【図２５】図２５は、第４実施形態にかかる電子機器の一例が示された斜視図である。
【図２６】図２６は、第４実施形態にかかる電子機器の一例が示された側面図である。
【図２７】図２７は、第４実施形態にかかる電子機器の一例の第一の部材が示された平面図である。
【図２８】図２８は、第４実施形態にかかる電子機器の一例の第一の部材が示された側面図である。
【図２９】図２９は、第４実施形態にかかる電子機器の一例の第一の部材の一部が示された斜視図である。
【図３０】図３０は、第４実施形態の第１変形例にかかる電子機器の一例が示された側面図である。
【図３１】図３１は、第４実施形態の第２変形例にかかる電子機器の一例が示された側面図であって、平面上に第一の姿勢で置かれた状態が示された図である。
【図３２】図３２は、第４実施形態の第２変形例にかかる電子機器の一例が示された側面図であって、平面上に第二の姿勢で置かれた状態が示された図である。
【図３３】図３３は、第４実施形態の第３変形例にかかる電子機器の一例が示された側面図である。
【図３４】図３４は、第４実施形態の第４変形例にかかる電子機器の一例が示された斜視図である。
【発明を実施するための形態】
【０００８】
以下の例示的な複数の実施形態ならびに変形例には、同様の構成要素が含まれている。よって、以下では、同様の構成要素には共通の符号が付されるとともに、重複する説明が部分的に省略される。また、以下の実施形態や変形例では、電子機器がテレビジョン受像機または所謂タブレット型（スレート型）のパーソナルコンピュータとして構成された場合が例示されるが、本実施形態にかかる電子機器は、これらには限定されない。本実施形態にかかる電子機器は、例えば、ノート型（クラムシェル型）のパーソナルコンピュータや、スマートフォン、スマートブック、携帯電話機、ＰＤＡ（personal digital assistant）、映像表示装置、モニタ装置、テレビ電話機等、フレキシブルディスプレイを搭載可能な種々の電子機器として構成することができる。
【０００９】
＜第１実施形態＞
図１〜４に示される本実施形態では、一例として、電子機器の一例であるテレビジョン受像機１Ａは、支持部２Ａ（支部、台、スタンド）と、筐体３Ａと、を備える。具体的に、支持部２Ａは、机や、棚、台等の載置部（載置面、図示されず）上に載置され、筐体３Ａを起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１０】
また、本実施形態では、一例として、図１に示されるように、筐体３Ａは、正面視および背面視では四角形状（本実施形態では、一例として横に長い長方形状）の外観を呈している。図２，３に示されるように、筐体３Ａは、前後方向（筐体３Ａの厚さ方向、図２の左右方向）に薄い偏平な直方体状に構成されている。筐体３Ａは、面３ａ（正面、前面、面部）とその反対側の面３ｂ（背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、図１に示されるように、筐体３Ａは、正面視では、四つの端部３ｃ〜３ｆ（辺部、縁部、周縁部）と、四つの角部３ｇ〜３ｊと（尖部、曲部、端部）、を有する。端部３ｃ，３ｅは、長辺部の一例である。端部３ｄ，３ｆは、短辺部の一例である。
【００１１】
また、筐体３Ａは、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒ（本実施形態では、一例として凹部）が設けられている。本実施形態では、一例として、開口部３ｒにディスプレイ４が収容されている。壁部３ｋの面３ａならびにディスプレイ４は、部材５（プレート、壁部、カバー、保護部）によって覆われている。壁部３ｋと壁部３ｍとの間には隙間が設けられている。
【００１２】
さらに、筐体３Ａは、複数の部品（分割体、部材）が組み合わせられて構成されている。筐体３Ａは、一例としては、部材３１（前側部材、カバー、ベゼル、プレート、第一の部材）と、部材３２（後側部材、ベース、ボトム、プレート、第二の部材）と、部材３３（側方部材、サイドカバー、プレート、第三の部材）と、を有する。部材３１は、壁部３ｋを含む。部材３２は、壁部３ｍを含む。部材３３は、壁部３ｎを含む。部材３１，３２，３３は、例えば、金属材料や合成樹脂材料等で構成されうる。本実施形態では、一例として、部材３１ならびに部材３２は、金属材料であり、部材３３は、合成樹脂材料である。しかし、材質は、これらには限定されない。金属材料は、例えば、鋳造や、プレス、切削等で構成することができる。合成樹脂材料は、例えば、射出成形等で構成することができる。
【００１３】
筐体３Ａを構成する複数の部品（本実施形態では、一例として部材３１や、部材３２、部材３３等）は、結合具（例えば、ねじやクリップ等）を用いた結合や、凹凸構造（例えば、凸部や凹部の周縁部等）同士の引っ掛け、接着、溶着等によって互いに結合されている。一例として、部材３２は、突出部３ｔを有している。突出部３ｔは、壁部３ｎの筐体内側で壁部３ｍから壁部３ｎに沿って突出している。そして、図４に示されるように、突出部３ｔに設けられた引掛部３２ａ（開口部）の周縁部と壁部３ｎに設けられた引掛部３３ａ（突起部、凸部、爪部）とが、筐体３Ａの厚さ方向（図４の左右方向）に互いに引っ掛かっている。部材３１と部材３３とは、これら引掛部３２ａの周縁部と引掛部３３ａとの引っ掛かり（スナップフィット）によって、互いに結合されている。また、別の例として、部材３３（壁部３ｎ）は、突出部３ｓを有している。突出部３ｓは、壁部３ｎから筐体内側に向けて突出している。突出部３ｓと壁部３ｋの周縁部（端部）とが筐体３Ａの厚さ方向に互いに重なっている。そして、これら突出部３ｓと壁部３ｋの周縁部とが、例えば、結合具（例えば、ねじ等、図示されず）によって互いに結合されている。突出部３ｓは、壁部３ｋの周縁部の筐体内側（後方側、図３の右側）に位置されている。結合具は、筐体内側から貫通孔および雌ねじ孔（いずれも図示されず）に挿入されて、結合される。突出部３ｓは、部材３３の全周に亘って設けられてもよいし、部分的に設けられてもよい。
【００１４】
ディスプレイ４（表示部、表示装置、部品）は、壁部３ｋの面３ａを覆っている。ディスプレイ４は、本実施形態では、一例として、可撓性で、柔軟で、屈曲可能で、薄く、かつシート状（膜状）である。ディスプレイ４は、例えば、ＬＣＤ（liquid crystal display）やＯＥＬＤ（organic electroluminescent display）等である。ディスプレイ４は、厚さ方向の視線（平面視）で四角形状（本実施形態では、一例として長方形状）に構成されている。ディスプレイ４は、画像を見ることができる面４ａ（前面、正面、上面、表面、表示面、表示画面）とその反対側の面４ｂ（後面、背面、下面、裏面）とを有する。なお、屈曲可能なディスプレイ４とは、ディスプレイ４が単独で屈曲可能であることを意味し、必ずしも筐体３Ａに組み込まれた状態で屈曲可能であることを意味しない。筐体３Ａに組み込まれた状態でディスプレイ４が屈曲するか否かは、筐体３Ａの構成や剛性等に依存する。本実施形態では、一例として、ディスプレイ４は、単独では屈曲可能であるが、筐体３Ａに組み込まれた状態では屈曲しない。
【００１５】
部材５は、壁部３ｋの面３ａと、ディスプレイ４の面４ａと、を覆っている。部材５（カバー、プレート、保護部）は、比較的剛性が高く、薄く、かつ板状である。部材５は、例えば、ガラスや、透明な合成樹脂材料（例えば、アクリル）等で構成されうる。部材５は、ディスプレイ４より厚い。部材５は、面５ａ（正面、前面、面部）とその反対側の面５ｂ（背面、後面、面部）とを有する。面５ａは、筐体３Ａの前面側（正面側）に露出している。また、部材５のうち、少なくとも、ディスプレイ４の前方に位置される領域は、透明（本実施形態では、一例として無色透明）である。一方、部材５のうち、ディスプレイ４の周縁部４ｃより外側の領域５ｃは、比較的濃い色（例えば、黒や、紺色、茶色等）で着色されるか、あるいは不透明若しくは透光性の低い部材で被覆される。すなわち、部材５の面５ａの前方（図３の左側、前面側、正面側）からの視線で、部材５の周縁部の後方（図３の右側、後面側、裏側）は視認できない。
【００１６】
また、部材５の面５ｂには、タッチセンサ（タッチパネル、操作面、入力操作部、図示されず）が設けられている。タッチセンサは、ディスプレイ４の面４ａを覆っている。操作者（使用者）は、例えば手指やスタイラス等によって、部材５の面５ａに対して、触れる、押す、擦る、あるいは面５ａの近傍で動かす等の操作を行うことで、入力処理を実行することができる。なお、タッチセンサも透明（無色透明）である。
【００１７】
部材６（接着部、緩衝部、保持部、介在部）は、壁部３ｋとディスプレイ４との間に位置されている（挟まれている、介在されている）。また、部材８（接着部、緩衝部、保持部、介在部）は、壁部３ｋと部材５との間に位置されている（挟まれている、介在されている）。部材６，８は、一例としては、両面テープであることができる。また、部材６は、壁部３ｋ（部材３１）より熱伝導性が低い。部材６は、ディスプレイ４と部材３１や部品７との間の熱伝達を抑制する。すなわち、部材６は、断熱材（遮熱材、熱伝達抑制部、抑制部）の一例である。一例としては、部材６により、部品７（例えば、基板アセンブリ７０）からディスプレイ４への熱の伝達を抑制することができる。
【００１８】
本実施形態では、一例として、図３に示されるように、ディスプレイ４や、部材５等は、いずれも、壁部３ｋ（部材３１）に支持されている。また、本実施形態では、一例として、壁部３ｎ（部材３３）の前側の端部３３ｂ（面、端面）が部材５の面５ａ（前面、表面）に沿った方向に並び、当該面５ａと連なっている。また、本実施形態では、一例として、壁部３ｋの面３ａとディスプレイ４の面４ａとが連なっており、それら面３ａおよび面４ａを部材５が覆っている。
【００１９】
筐体３Ａには、壁部３ｋ，３ｍ，３ｎによって囲まれた収容室Ｓ（室、空間）が設けられている。収容室Ｓは、壁部３ｋと壁部３ｍとの間に位置され、端部３ｃと端部３ｅとの間に亘り、端部３ｄと端部３ｆとの間に亘っている。この空間の内部には、部品７が収容されている。部品７は、例えば、バッテリや、基板（回路基板、制御基板、サブ基板）、各種モジュール、ＯＤＤ（optical disk drive）、ＨＤＤ（hard disk drive）、ＳＳＤ（solid state drive）、アンテナ、カメラモジュール、スピーカユニット、コネクタユニット、操作部ユニット（スイッチ）、センサユニット等である。しかし、部品７は、これらには限定されない。
【００２０】
また、本実施形態では、一例として、収容室Ｓ内の基板を含む基板アセンブリ７０には、ＣＰＵ（central processing unit）等の複数の部品（部品、素子、電子部品、電気部品、図示されず）が実装されている。部品には、発熱体が含まれる。発熱量の大きい部品（発熱体）には、冷却機構（放熱部、受熱部、図示されず）を設けることができる。基板や部品等によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、ディスプレイ４の面４ａでの映像（動画や静止画等）の出力や、スピーカ（図示されず）での音声の出力、ＬＥＤ（light emitting diode、図示されず）での発光等を制御する。ディスプレイ４や、スピーカ、ＬＥＤ等は、出力部の一例である。
【００２１】
また、本実施形態では、一例として、図３に示されるように、ディスプレイ４には、フラットケーブル９（配線部、配線基板、配線板部、帯状配線部）を介して、ドライバ基板１０（駆動基板、制御基板、基板）が電気的に接続されている。フラットケーブル９は、本実施形態では、一例として、可撓性で、柔軟で、屈曲可能で、薄く、シート状（膜状）、かつ帯状である。フラットケーブル９は、一例としては、フレキシブルプリント配線基板（ＦＰＣ，flexible printed circuit）として構成されうる。フラットケーブル９がＦＰＣである場合、フラットケーブル９は、弾性を有する。すなわち、フラットケーブル９は、弾性変形する（弾性的に曲がる）ことができる。また、フラットケーブル９は、その内部に、複数の並列な導体部（配線部、導体パターン）を有している。導体部は、絶縁性の被膜で覆われている。ドライバ基板１０は、ディスプレイ４の各ドットの電極（Ｘ電極、Ｙ電極、ソース電極、ゲート電極等）を駆動する回路等を有する。フラットケーブル９は、ドライバ基板１０に、はんだ付けや溶着等で結合（接続、固定）されることができるし、コネクタ（図示されず）を介して着脱可能に結合（接続）されうる。また、フラットケーブル９は、ディスプレイ４には、熱圧着やはんだ付け等により結合（接続、固定）されうる。
【００２２】
ドライバ基板１０は、壁部３ｋのディスプレイ４とは反対側に位置され、面３ａとは反対側の面３ｕに取り付けられている。ドライバ基板１０は、例えば、結合具（例えば、ねじ）による結合や、接着等により、壁部３ｋに固定（結合、接続）されている。また、壁部３ｋには、開口部３ｖ（例えば、貫通孔、切欠、スリット等）が設けられている。本実施形態では、一例として、開口部３ｖは、壁部３ｋの端部３ｚ（周縁部３ｗ）の切欠として設けられている。フラットケーブル９は、開口部３ｖ内を貫通している。開口部３ｖは、周縁部３ｗのうち、フラットケーブル９に対応する位置に、部分的に設けられている。
【００２３】
可撓性でシート状のディスプレイ４は、従来のパネルタイプに比べて薄いため、筐体３Ａが全体として薄くなる効果が得られる。しかしながら、ディスプレイ４は、比較的剛性が低いため、曲がりやすく、面４ａを平面状に維持する装備を有さない場合には、見にくくなる虞がある。また、仮に、ドライバ基板１０が、ディスプレイ４の面４ｂ上に位置され、壁部３ｋの面３ａ側でディスプレイ４がドライバ基板１０を覆った構成である場合には、ディスプレイ４が可撓性であるため、ドライバ基板１０の部分が前方に盛り上がる（膨らむ、突出する、段差が生じる）虞がある。また、ディスプレイ４単体では、ドライバ基板１０を支持するのに必要な剛性を有しにくい。
【００２４】
この点、本実施形態では、一例として、ディスプレイ４が壁部３ｋの面３ａ側に位置され、ドライバ基板１０が壁部３ｋの面３ｕ側に位置され、開口部３ｖを通ったフラットケーブル９により、ディスプレイ４とドライバ基板１０とが電気的に接続された。よって、本実施形態によれば、一例としては、ディスプレイ４がより平坦な状態に保持されやすい。よって、一例としては、ディスプレイ４の見やすさが向上しやすい。また、ドライバ基板１０をディスプレイ４が覆うことでディスプレイ４に凹凸が生じる不都合が、生じない。また、壁部３ｋ（部材３１）にディスプレイ４とドライバ基板１０とが組み込まれたサブアセンブリを構成できる分、テレビジョン受像機１Ａ（電子機器）の製造（組み立て）やメンテナンス等の手間やコストが減りやすい。また、壁部３ｋに開口部３ｖが設けられたため、開口部３ｖが設けられない場合に比べて、フラットケーブル９がより容易に配置されやすい。
【００２５】
＜第２実施形態＞
本実施形態にかかる電子機器１Ｂは、例えば、所謂スレート型、タブレット型、ソフトキーボードの機能を有した表示装置等の、パーソナルコンピュータ、テレビジョン受像機、スマートフォン、スマートブック、携帯電話機、ＰＤＡ等である。
【００２６】
本実施形態では、一例として、図５からわかるように、電子機器１Ｂの筐体３Ｂは、正面視および背面視では四角形状（本実施形態では一例として長方形状）の外観を呈している。また、図６に示されるように、筐体３Ｂは、前後方向（筐体３Ｂの厚さ方向）に薄い偏平な直方体状に構成されている。筐体３Ｂは、面３ａ（正面、前面、面部）とその反対側の面３ｂ（背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、図５に示されるように、筐体３Ｂは、正面視では、四つの端部３ｃ〜３ｆ（辺部、縁部、周縁部）と、四つの角部３ｇ〜３ｊ（尖部、曲部、端部）と、を有する。端部３ｃ，３ｅは、長辺部の一例である。端部３ｄ，３ｆは、短辺部の一例である。
【００２７】
また、筐体３Ｂは、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒ（本実施形態では、一例として凹部）が設けられている。本実施形態では、一例として、開口部３ｒにディスプレイ４が収容されている。壁部３ｋの面３ａならびにディスプレイ４は、部材５（プレート、壁部、カバー、保護部）によって覆われている。壁部３ｋと壁部３ｍとの間には隙間が設けられている。
【００２８】
さらに、筐体３Ｂは、複数の部品（分割体、部材）が組み合わせられて構成されている。筐体３Ｂは、一例としては、部材３１（前側部材、カバー、ベゼル、プレート、第一の部材）と、部材３２（後側部材、ベース、ボトム、プレート、第二の部材）と、部材３３（側方部材、サイドカバー、プレート、第三の部材）と、を有する。部材３１は、壁部３ｋを含む。部材３２は、壁部３ｍを含む。部材３３は、壁部３ｎを含む。部材３１，３２，３３は、例えば、金属材料や合成樹脂材料等で構成されうる。本実施形態では、一例として、部材３１ならびに部材３２は、金属材料であり、部材３３は、合成樹脂材料である。しかし、材質は、これらには限定されない。金属材料は、例えば、鋳造や、プレス、切削等で構成することができる。合成樹脂材料は、例えば、射出成形等で構成することができる。
【００２９】
また、図５に示されるように、壁部３ｎの外面の厚さ方向の中間部（中央部）には、端部３ｃ〜３ｆに沿って延びた溝３３ｃ（凹部）が設けられている。そして、この溝３３ｃの少なくとも一部には、溝３３ｃに沿って延びた部材３４が収容されている（埋められている）。壁部３ｎと部材３４とは、材質や色を異ならせることができる。部材３４が壁部３ｎより堅い部材で構成された場合には、一例としては、壁部３ｎが補強される。一方、部材３４が壁部３ｎより柔らかい部材（一例としては弾性部材）で構成された場合には、壁部３ｎの柔軟性（可撓性）が高められ、一例としては、衝撃吸収性が高められやすい。また、溝３３ｃには、部分的に、部材３４に替えて、スイッチ等の操作部３５が設けられる。この操作部３５用のスイッチとしては、電源スイッチや、ボリュームコントロールスイッチ、リセットスイッチ等がある。部材３４および操作部３５の壁部３ｎからの突出高さは、同じにすることができる。このような構成によれば、操作部３５が外見上目立ちにくくなる。また、部材３４と操作部３５とが連続するため、美観が向上されやすい。
【００３０】
また、本実施形態では、一例として、図５，６に示されるように、筐体３Ｂの壁部３ｋの前方に、ディスプレイ４（表示部、表示装置、部品）が配置されている。筐体３Ｂによるディスプレイ４や、部材５，６等の支持構造は、上記第１実施形態と同様である。また、ディスプレイ４や、部材５，６等自体も、サイズ等のスペックは異なる場合があるものの、基本的には上記第１実施形態と同様である。
【００３１】
本実施形態では、一例として、基板（図示されず）を含む基板アセンブリ７０には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。部品には、発熱体が含まれる。基板アセンブリ７０には、冷却装置（冷却機構、図示されず）を含めることができる。また、基板や部品等によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、ディスプレイ４の面４ａでの映像（動画や静止画等）の出力や、スピーカ（図示されず）での音声の出力、ＬＥＤ（light emitting diode、図示されず）での発光等を制御する。ディスプレイ４や、スピーカ、ＬＥＤ等は、出力部の一例である。
【００３２】
また、本実施形態では、一例として、図６，７に示されるように、ディスプレイ４には、フラットケーブル９（配線部、配線基板、配線板部、帯状配線部）を介して、ドライバ基板１０（駆動基板、制御基板、基板）が電気的に接続されている。フラットケーブル９は、本実施形態では、一例として、可撓性で、柔軟で、屈曲可能で、薄く、シート状（膜状）、かつ帯状である。フラットケーブル９は、一例としては、フレキシブルプリント配線基板（ＦＰＣ，flexible printed circuit）として構成されうる。フラットケーブル９は、その内部に、複数の並列な導体部（配線部、導体パターン）を有している。導体部は、絶縁性の被膜で覆われている。ドライバ基板１０は、ディスプレイ４の各ドットの電極（Ｘ電極、Ｙ電極、ソース電極、ゲート電極等）を駆動する回路等を有する。フラットケーブル９は、ドライバ基板１０に、はんだ付けや溶着等で結合（接続、固定）されることができるし、コネクタ（図示されず）を介して着脱可能に結合（接続）されうる。また、フラットケーブル９は、ディスプレイ４には、熱圧着やはんだ付け等により結合（接続、固定）されうる。
【００３３】
ドライバ基板１０は、壁部３ｋのディスプレイ４とは反対側に位置され、面３ａとは反対側の面３ｕに取り付けられている。ドライバ基板１０は、例えば、結合具（例えば、ねじ）による結合や、接着等により、壁部３ｋに固定（結合、接続）されている。また、壁部３ｋには、開口部３ｖ（例えば、貫通孔、切欠、スリット等）が設けられている。本実施形態では、一例として、開口部３ｖは、壁部３ｋの端部３ｚ（周縁部３ｗ）の切欠として設けられている。フラットケーブル９は、開口部３ｖ内を貫通している。開口部３ｖは、端部３ｚ（周縁部３ｗ）のうち、フラットケーブル９に対応する位置に、部分的に設けられている。
【００３４】
また、本実施形態では、一例として、図７に示されるように、ディスプレイ４の端部４ｄ（周縁部４ｃ）から、複数（本実施形態では、一例として二つ）のフラットケーブル９が突出している。フラットケーブル９は、端部４ｄと交叉する方向（本実施形態では、一例として直交方向）に延びている。フラットケーブル９のディスプレイ４とは反対側が、ドライバ基板１０と接続されている。ドライバ基板１０は、ディスプレイ４の端部４ｄに沿って当該端部４ｄと平行にかつ帯状に延びている。
【００３５】
そして、本実施形態では、一例として、図８に示されるように、壁部３ｋ（部材３１）には、複数の開口部３ｘ（例えば、凹部や貫通孔等）が設けられている。開口部３ｘは、本実施形態では、一例として、円形の貫通孔であり、ディスプレイ４と重なる領域に設けられている。ただし、開口部３ｘは、壁部３ｋのドライバ基板１０が取り付けられる領域には、設けられていない。開口部３ｘにより、一例としては、壁部３ｋひいては電子機器１Ｂがより軽量化されやすい。また、開口部３ｘにより、一例としては、壁部３ｋの表面積が増大したり通気性が向上したりしやすい。また、壁部３ｋの端部３ｚ（周縁部３ｗ）には、複数のフラットケーブル９に対応して、複数の開口部３ｖが設けられている。
【００３６】
以上の第２実施形態にかかる電子機器１Ｂにおいても、上記第１実施形態にかかるテレビジョン受像機１Ａと同様の構成を有することによる同様の効果が得られる。
【００３７】
＜第２実施形態の第１変形例＞
図９に例示される本変形例にかかる電子機器１Ｃは、上記実施形態や変形例と同様の構成を備える。よって、本変形例によっても、当該同様の構成に基づく同様の作用および結果（効果）が得られる。ただし、本変形例では、壁部３ｋの構成が、上記実施形態とは相違している。すなわち、壁部３ｋの中央部（中間部）に、前方（ディスプレイ４側、図９では上方）に突出した突出部１３ａが設けられている。ディスプレイ４および部材６は、突出部１３ａに支持されている。また、突出部１３ａのディスプレイ４とは反対側に、凹部１３ｂが設けられている。ドライバ基板１０は凹部１３ｂに収容されている。ドライバ基板１０は、凹部１３ｂの端部に寄せて位置されている。よって、ドライバ基板１０が位置決めされやすい。本変形例によれば、壁部３ｋが凹凸を有している分、壁部３ｋの剛性がより高まりやすい。また、本変形例では、突出部３ｔが、壁部３ｎの筐体内側で壁部３ｍから壁部３ｎに沿って突出している。突出部３ｔは、壁部３ｍの周縁部に沿って延びている。よって、突出部３ｔと壁部３ｎとが重なり合った部分で、筐体３Ｂの側壁（壁部３ｎ）の剛性がより高まりやすい。
【００３８】
＜第２実施形態の第２変形例＞
図１０に例示される本変形例にかかる電子機器１Ｄは、上記実施形態や変形例と同様の構成を備える。よって、本変形例によっても、当該同様の構成に基づく同様の作用および結果（効果）が得られる。ただし、本変形例では、壁部３ｋの構成が、上記実施形態や変形例とは相違している。すなわち、壁部３ｋの端部に、後方（ディスプレイ４とは反対側、筐体内側、図１０では下方）に突出した突出部１３ｃが設けられている。突出部１３ｃは、壁部３ｋの四つの端部のうち、相互に対向する二つの端部１３ｄ，１３ｅ（周縁部３ｗ）に設けられている。突出部１３ｃは、端部１３ｄ，１３ｅに沿って延びている。突出部１３ｃの反対側（ディスプレイ４側、前方側）には、凹部１３ｆ（溝部）が設けられている。ドライバ基板１０は、凹部１３ｂの端部に寄せて配置されている。よって、ドライバ基板１０が位置決めされやすい。本変形例によれば、壁部３ｋが凹凸を有している分、壁部３ｋの剛性がより高まりやすい。また、凹部１３ｆを、ケーブル（ハーネス）等を配置するスペースとして利用することができる。逆に、突出部１３ｃの厚みを適宜に薄くした場合、壁部３ｋの突出部１３ｃに弾性（可撓性）を与え、壁部３ｋを撓みやすくあるいは振動しやすくすることができる。
【００３９】
＜第２実施形態の第３変形例＞
図１１に例示される本変形例にかかる電子機器１Ｅは、上記実施形態や変形例と同様の構成を備える。よって、本変形例によっても、当該同様の構成に基づく同様の作用および結果（効果）が得られる。ただし、本変形例では、壁部３ｋの構成が、上記実施形態や変形例とは相違している。すなわち、壁部３ｋの端部に、後方（ディスプレイ４とは反対側、筐体内側、図１０では下方）に突出した突出部１３ｃが設けられている。突出部１３ｃは、壁部３ｋの四つの端部のうち、相互に対向する二つの端部１３ｄ，１３ｅに設けられている。突出部１３ｃは、端部１３ｄ，１３ｅに沿って延びている。突出部１３ｃは、壁状に突出し、その反対側（前方側）には凹部は設けられていない。ドライバ基板１０は、凹部１３ｂの端部に寄せて配置されている。よって、ドライバ基板１０が位置決めされやすい。本変形例によれば、壁部３ｋが凸部を有している分、壁部３ｋの剛性がより高まりやすい。
【００４０】
＜第２実施形態の第４変形例＞
図１２に例示される本変形例にかかる電子機器１Ｆは、上記実施形態や変形例と同様の構成を備える。よって、本変形例によっても、当該同様の構成に基づく同様の作用および結果（効果）が得られる。ただし、本変形例では、壁部３ｋの構成が、上記実施形態や変形例とは相違している。すなわち、開口部３ｖの縁に、フラットケーブル９の屈曲に対応した曲部１３ｇが設けられている。曲部１３ｇは、面３ａと面３ｕとの間に亘り、面３ａまたは面３ｕに沿った方向でありかつディスプレイ４の端部４ｄと交叉する方向（本実施形態では、一例として直交方向）に突出している。曲部１３ｇの断面の外周は半円状に形成されている。フラットケーブル９は、曲部１３ｇの面に沿って屈曲することができる。よって、本変形例によれば、フラットケーブル９と開口部３ｖの縁との干渉によってフラットケーブル９が損傷するのが抑制されやすい。
【００４１】
＜第２実施形態の第５変形例＞
図１３に例示される本変形例にかかる電子機器１Ｇは、上記実施形態や変形例と同様の構成を備える。よって、本変形例によっても、当該同様の構成に基づく同様の作用および結果（効果）が得られる。ただし、本変形例では、筐体３Ｂ内の部品７の配置が、上記実施形態や変形例とは相違している。すなわち、壁部３ｋのディスプレイ４とは反対側の面３ｕ上に部品７が取り付けられている。また、壁部３ｍの面３ｙ上にも部品７が取り付けられている。この構成では、面３ｙより狭い面３ｕには、比較的小型の（平面視（筐体３Ｂの厚さ方向の視線）で小さい、狭い）部品７を配置し、面３ｕより広い面３ｙには、比較的大型の（平面視で大きい、広い）部品７を配置することができる。壁部３ｋを利用することで、筐体３Ｂの収容室Ｓ内で、部品７がより効率良く配置されやすい。比較的大型の部品７は、一例としてはバッテリ７１（バッテリモジュール、バッテリパック、セル）である。
【００４２】
＜第２実施形態の第６変形例＞
図１４，１５に例示される本変形例にかかる電子機器１Ｈは、上記実施形態や変形例と同様の構成を備える。よって、本変形例によっても、当該同様の構成に基づく同様の作用および結果（効果）が得られる。ただし、本変形例では、壁部３ｋ，３ｍの構成ならびにアンテナ７２（アンテナモジュール、部品７）の配置が、上記実施形態や変形例とは相違している。すなわち、壁部３ｍの面３ｙ上に、アンテナ７２が設けられている。アンテナ７２は、種々の通信方式（例えば、無線ＬＡＮ（local area network）、３Ｇ（第３世代移動通信システム）、ＬＴＥ（long term evolution）、ＧＰＳ（global positioning system）、テレビ放送等）に対応したアンテナでありうる。また、アンテナ７２は、複数の通信方式に対応することができる。図１５に示されるように、壁部３ｋの端部１３ｄおよび当該端部１３ｄと反対側の端部１３ｅには、開口部１３ｈ（第二の開口部）が設けられている。開口部３ｖ（第二の開口部）と開口部１３ｈとは相互に対向し、壁部３ｋの図１５の左右方向の中央に位置した線Ｃについて線対称に設けられている。アンテナ７２は、それぞれ、いずれかの開口部３ｖ，１３ｈと筐体３Ｂの厚さ方向に重なっている。さらに、本変形例では、壁部３ｍの端部３ｍ１（端部、縁部、外側部）が、壁部３ｍの中央部３ｍ２（中間部、内側部）より導電性の低い材料で構成されている。すなわち、中央部３ｍ２は、端部３ｍ１より導電性の高い材料で構成されている。一例として、端部３ｍ１は、合成樹脂材料、中央部３ｍ２は、金属材料であることができる。端部３ｍ１と中央部３ｍ２とは、凹凸形状を介して一体化されている。壁部３ｍは、インサート成形により、構成することができる。なお、端部３ｍ１は、中央部３ｍ２の全周に亘って当該中央部３ｍ２の外周を囲うように設けられてもよいし、全周のうち部分的に位置されてもよい。そして、アンテナ７２は、端部３ｍ１と筐体３Ｂの厚さ方向に重なっている。仮に、アンテナ７２を囲う（覆う）壁部３ｋ，３ｍ，３ｎ等が金属材料等の導電性材料で構成されていた場合、これら壁部３ｋ，３ｍ，３ｎ等が電磁シールドとなって、アンテナ７２の通信性能が低下する虞がある。この点、本変形例では、一例として、壁部３ｋに設けられた開口部３ｖ，１３ｈとアンテナ７２とが筐体３Ｂの厚さ方向に重なっているため、アンテナ７２の通信性能が低下しにくい。また、開口部３ｖ，１３ｈが、互いに対向する端部１３ｄ，１３ｅに設けられている。よって、一例としては、複数のアンテナ７２が互いに離間して配置されやすい。よって、一例としては、複数のアンテナ７２による空間ダイバーシティが得られやすい。また、一例としては、複数のアンテナ７２の相互干渉が抑制されやすい。なお、平面視（筐体３Ｂの厚さ方向の視線）でアンテナ７２の全域が開口部３ｖ、１３ｈと重なっている必要は無い。
【００４３】
＜第２実施形態の第７変形例＞
図１６〜１８に例示される本変形例にかかる電子機器１Ｉは、上記実施形態や変形例と同様の構成を備える。よって、本変形例によっても、当該同様の構成に基づく同様の作用および結果（効果）が得られる。ただし、本変形例では、壁部３ｋ，３ｎの構成が、上記実施形態や変形例とは相違している。すなわち、壁部３ｋは、露出部１３ｊを有している。壁部３ｋは、導電部材で構成されている。露出部１３ｊは、ディスプレイ４ならびに部材５，６の外周側から、少なくとも部分的に面４ａ，５ａの前方側の筐体外に露出している。本変形例では、一例として、端部３ｃの中間部分に沿って、露出部１３ｊが設けられている。露出部１３ｊは、部材５の端部５ｄ（周縁部）と壁部３ｎとの間の隙間から露出している。また、端部５ｄと壁部３ｎとの間の隙間のうち、露出部１３ｊ以外の領域には、シール部材１１（シール部、抑制部）が位置されている。シール部材１１は、隙間に沿った線状に形成されている。シール部材１１は、弾性および絶縁性を有した部材（例えば、絶縁性を有したエラストマ等）であることができる。露出部１３ｊには、筐体外側と筐体内側とに亘る開口部１３ｋ（第三の開口部）が設けられている。また、突出部３ｓ（壁部３ｎ）の、開口部１３ｋと重なる（通じる、連通する）位置には、開口部１３ｍが設けられている。開口部１３ｍは、開口部１３ｋ側と収容室Ｓ側とに亘って設けられている。開口部１３ｋ，１３ｍは、貫通孔や、切欠、スリット、溝等であることができる。また、開口部１３ｋ，１３ｍは、多孔質部材１３ｎ（多孔質部、抑制部、障壁部、緩衝部、例えばスポンジ等）で覆われることができる。多孔質部材１３ｎとしては、一例としては、音声は通すが、塵芥や水等は通さない材料を選択することができる。そして、開口部１３ｍに面した筐体３Ｂ内には、マイクロフォンユニット７３が位置されている。露出部１３ｊと、シール部材１１とは、同じ色あるいは同系統の色（一例としては黒色）で着色されている。露出部１３ｊの前方側（図１８の上側）の部分、すなわち、筐体外側に露出する部分は塗装され、後方側（図１８の下側）の部分、すなわち、筐体外側に露出しない部分は塗装されない。そして、開口部１３ｋには、開口端より奥側で、壁部３ｋの導電性の部分１３ｐが面している（臨んでいる、露出している、現れている）。導電性の部分１３ｐのスペック（位置、広さ等）は、塗装領域によって適宜に設定することができる。以上の本変形例では、部材５の端部５ｄと壁部３ｎとの間の隙間が、シール部材１１で埋められる。よって、一例としては、当該隙間における液体や気体等のシール性がより高まりやすい。また、本変形例では、壁部３ｋが、当該隙間から面５ａの前方の筐体外側に露出した露出部１３ｊを有する。よって、一例としては、露出部１３ｊを利用して、開口部１３ｋ等を形成することができる。開口部１３ｋ，１３ｍは、マイクロフォンユニット７３への音声の通路であることができる。また、本変形例では、一例としては、開口部１３ｋ内に、露出部１３ｊ（壁部３ｋ、第一の部材３１）の導電性の部分１３ｐが面している。これにより、開口部１３ｋを通って筐体内側に電気（スパーク、表面電流等）が浸入するのが抑制されやすい。よって、一例としては、マイクロフォンユニット７３等の部品７の保護性が高まりやすい。
【００４４】
＜第３実施形態＞
図１９，２０に例示される本実施形態にかかる電子機器１Ｊは、上記実施形態や変形例と同様の構成を備える。よって、本実施形態によっても、当該同様の構成に基づく同様の作用および結果（効果）が得られる。ただし、本実施形態では、筐体３Ｊが、壁部３ｋと壁部３ｎとを有した部材３６を有する点が、上記実施形態や変形例とは相違している。すなわち、筐体３Ｊは、上記実施形態や上記変形例にかかる筐体３Ａ，３Ｂの部材３１，３３が統合された部材３６を有している。よって、本実施形態によれば、一例としては、部材３１，３３を結合する部品や工数が減りやすい。また、一例としては、筐体３Ｊの剛性や強度が高まりやすい。部材３６は、一例としては、金属材料で構成される。また、壁部３ｋには、開口部３ｖが、貫通孔として設けられている。開口部３ｖは、壁部３ｋの端部１３ｄ（端部３ｅ，壁部３ｎ）に寄せて位置されている。開口部３ｖは、端部１３ｄ（端部３ｅ，壁部３ｎ）に沿って線状（スリット状）に延びている。また、本実施形態でも、部品７の少なくとも一部は、壁部３ｋに取り付けられている（固定されている）。
【００４５】
＜第３実施形態の第１変形例＞
図２１，２２に例示される本変形例にかかる電子機器１Ｋは、上記実施形態や変形例と同様の構成を備える。よって、本変形例によっても、当該同様の構成に基づく同様の作用および結果（効果）が得られる。ただし、本変形例では、フラットケーブル９がディスプレイ４の面４ｂ（後面）に接合されている点が、上記実施形態や変形例とは相違している。すなわち、フラットケーブル９の端部９ａと、ディスプレイ４の面４ｂとが熱圧着等によって互いに接合されている。端部９ａと面４ｂとは、端部９ａに露出された電極（図示されず）と、面４ｂに露出された対応する電極（図示されず）とが、互いに電気的に接続された状態で、接合される。壁部３ｋには、フラットケーブル９に対応した位置に、開口部３ｖが設けられる。よって、図２１，２２に示されるように、開口部３ｖは、壁部３ｋの端部３ｃ〜３ｆ（壁部３ｎ）より離れた位置に設けられる場合もある。部材６には、フラットケーブル９が通る開口部６ａが設けられる。本変形例によれば、一例としては、フラットケーブル９がディスプレイ４の側方に取り出された（突出した）場合に比べて、筐体３Ｊのディスプレイ４の側方の領域がより狭くなりやすい。すなわち、同じ大きさの筐体３Ｊに対しては、フラットケーブル９がディスプレイ４の側方に取り出された（突出した）場合に比べて、ディスプレイ４がより大きくなりやすい。すなわち、所謂額縁領域の幅がより狭くなりやすい。また、部材５に設けられた領域５ｃがより狭くなりやすい。
【００４６】
＜第３実施形態の第２変形例＞
図２３に例示される本変形例にかかる電子機器１Ｌは、上記実施形態や変形例と同様の構成を備える。よって、本変形例によっても、当該同様の構成に基づく同様の作用および結果（効果）が得られる。ただし、本変形例では、開口部３ｖのスペック（数、形状、位置等）が、上記実施形態や変形例とは相違している。すなわち、本変形例では、開口部３ｖが複数設けられている。また、各開口部３ｖのスペック（大きさ、面積、長さ、位置等）も、それぞれ相違している。本変形例によれば、一例としては、不要な開口部３ｖが減りやすい。よって、一例としては、壁部３ｋの剛性がより高まりやすい。
【００４７】
＜第３実施形態の第３変形例＞
図２４に例示される本変形例にかかる電子機器１Ｍは、上記実施形態や変形例と同様の構成を備える。よって、本変形例によっても、当該同様の構成に基づく同様の作用および結果（効果）が得られる。ただし、本変形例では、複数の開口部３ｖのスペック（数、形状、位置、配置等）が、上記実施形態や変形例とは相違している。本変形例によれば、フラットケーブル９の位置や延びる方向等を、種々に変形することができる。また、本変形例によれば、一例としては、不要な開口部３ｖが減りやすい。よって、一例としては、壁部３ｋの剛性がより高まりやすい。
【００４８】
＜第４実施形態＞
図２５〜２９に示される本実施形態にかかる電子機器１Ｎは、上記実施形態や変形例と同様の構成を備える。よって、本変形例によっても、当該同様の構成に基づく同様の作用および結果（効果）が得られる。ただし、本実施形態では、筐体３Ｎの構成が、上記実施形態や変形例とは相違している。すなわち、本実施形態では、一例として、筐体３Ｎは、部分１３１（支持部）と、部分１３２（部品収容部、グリップ部、持部、覆部）と、を有する。部分１３１は、ディスプレイ４の面４ｂを覆い、ディスプレイ４を支持している。ディスプレイ４は、部分１３１に、例えば、接着等されることで結合（接続、固定）されうる。ディスプレイ４には、タッチパネル（インセルタッチパネル）が内蔵されうる。部分１３２は、ディスプレイ４以外の部品７を収容する。部分１３１，１３２は、それぞれ、一つの部材あるいは複数の部材の組み合わせにより、構成されうる。部分１３１，１３２は、それぞれ、中実あるいは中空に構成されうる。また、部分１３１，１３２は、それぞれ、例えば、金属材料や、合成樹脂材料、あるいはそれらの組み合わせ等により、構成されうる。
【００４９】
部分１３１は、前後方向（筐体３Ｎの厚さ方向）に薄い偏平な直方体状に構成されている。部分１３１は、面３ａ，３ｂ，３ｐ、端部３ｃ〜３ｆ、および角部３ｇ〜３ｊを有する。部分１３１が、一つの部材で構成される場合、部分１３１は、壁部３ｋを有する。また、部分１３２は、部分１３１の端部３ｅと接続され、当該端部３ｅに沿って棒状（柱状、筒状）に延びている。部分１３２は、面１３２ａや、面１３２ｂ、曲部１３２ｃ、角部１３２ｄ等を有する。面１３２ａは、平面状であり、部分１３１の面３ａや、ディスプレイ４の面４ａと略平行である。面１３２ｂは、平面状であり、面１３２ａと鋭角に交わっている。曲部１３２ｃは、Ｓ字状に湾曲した面１３２ｅ（曲面）を有する。面１３２ｅは、部分１３１の面３ｂと滑らかに繋がっている。また、部分１３１は、部分１３２内にその一部（端部３ｅに設けられた突出部１３１ａ）が挿入された状態で、部分１３２と結合（接続、固定）されている。部分１３１と部分１３２とは、結合具（例えば、ねじ等、図示されず）を用いた結合や、一体成形（インサート成形）等により、一体化されることができる。結合具が用いられる場合、図２９に示されるように、部分１３１の端部３ｅの、曲部１３ｇと外れた位置には、結合具が結合される結合部１３１ｃ（例えば、雌ねじ孔等）が設けられる。部分１３２は、ドライバ基板１０を覆っている。よって、部分１３２は、覆部の一例である。
【００５０】
本実施形態でも、上記実施形態と同様に、ドライバ基板１０は、部分１３１（支持部）のディスプレイ４とは反対側に設けられている。具体的には、突出部１３１ａの面３ａとは反対側の面１３１ｂ上に、例えば接着等されて取り付けられている。ディスプレイ４とドライバ基板１０とを電気的に接続するフラットケーブル９は、部分１３１の端部３ｅの外側で端部３ｅから離間した位置で湾曲している。端部３ｅの、フラットケーブル９に対応する位置には、曲部１３ｇが設けられている。
【００５１】
本実施形態によれば、一例として、使用者は、片手で部分１３２を持って、もう一方の手でタッチパネルを操作することができる。部分１３２は、上述した構成（形状）であるため、持ちやすい。また、本実施形態では、部分１３１が可撓性を有する場合、ディスプレイ４とともに部分１３１を屈曲させて使用することができる。
【００５２】
＜第４実施形態の第１変形例＞
図３０に例示される本変形例にかかる電子機器１Ｐは、上記実施形態や変形例と同様の構成を備える。よって、本変形例によっても、当該同様の構成に基づく同様の作用および結果（効果）が得られる。ただし、本変形例では、部分１３１内にバッテリ７１が設けられている点が、上記実施形態や変形例とは相違している。部分１３１は、中空であってもよいし、中実であってもよい。本変形例によれば、より容量の大きなバッテリ７１が搭載されやすい。
【００５３】
＜第４実施形態の第２変形例＞
図３１，３２に例示される本変形例にかかる電子機器１Ｑは、上記実施形態や変形例と同様の構成を備える。よって、本変形例によっても、当該同様の構成に基づく同様の作用および結果（効果）が得られる。ただし、本変形例では、部分１３２の形状（外形状）が、上記実施形態や変形例とは相違している。すなわち、本変形例では、面１３２ｂがより広く、図３１に示されるように、電子機器１Ｑが起立した状態（姿勢、起立姿勢、立ち姿勢、縦姿勢）で使用されうる。図３１の状態では、面１３２ｂが平面Ｐ（載置面）に載せられる（接触する）下面（当接面、支持面）となり、部分１３２が電子機器１Ｑを支持する支持部（脚部、台部、台座部、基部）となる。本変形例では、一例として、電子機器１Ｑの重心Ｇが、部分１３２内に位置される。よって、一例としては、電子機器１Ｑがより安定的に起立した状態が維持されやすい。
【００５４】
また、本変形例では、図３２に示されるように、電子機器１Ｑは、部分１３２と部分１３１の端部３ｃとが平面Ｐに支持されて横たわった状態（姿勢、伏臥姿勢、置き姿勢、横姿勢）で使用されうる。図３２の状態では、部分１３２（端部３ｅ）側が端部３ｃ側より高い。電子機器１Ｑは、姿勢センサ（例えば、加速度センサ、ジャイロ等）を有し、制御部は、ディスプレイ４での画像の表示方向を、図３１の場合とは逆転（上下反転）する。このように、本変形例によれば、使用者が手で持つ姿勢、ならびに図３２の姿勢に加えて、図３１の姿勢で使用することができる。
【００５５】
＜第４実施形態の第３変形例＞
図３３に例示される本変形例にかかる電子機器１Ｒは、上記実施形態や変形例と同様の構成を備える。よって、本変形例によっても、当該同様の構成に基づく同様の作用および結果（効果）が得られる。ただし、本変形例では、部分１３２が、部分１３１の長手方向の両側に設けられている点が、上記実施形態や変形例とは相違している。この構成では、一例としては、部分１３２の一方（部分１３２Ｒ）には、部品７としてのバッテリ７１が収容され、部分１３２の他方（部分１３２Ｌ）には、部品７として基板アセンブリ７０が収容されうる。この場合、部分１３２Ｒは、部分１３１に着脱可能に接続することができる。これにより、バッテリ７１の交換がより容易に行われやすい。また、部分１３２Ｒ自体が、バッテリ（バッテリパック、バッテリモジュール、セル）として構成されうる。また、本変形例によれば、電子機器１Ｒの長手方向両側の部分１３２を両手で持って使用しやすい。なお、部分１３２は、部分１３２の短手方向の両側に設けてもよい。また、本変形例でも、部分１３１に可撓性を与えることができる。
【００５６】
＜第４実施形態の第４変形例＞
図３４に例示される本変形例にかかる電子機器１Ｓは、上記実施形態や変形例と同様の構成を備える。よって、本変形例によっても、当該同様の構成に基づく同様の作用および結果（効果）が得られる。ただし、本変形例では、部分１３２が、部分１３１の短手方向の端部３ｅに結合（接続、固定）されている。本変形例によれば、一例としては、横長の状態で画面を見たい場合に便利である。
【００５７】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。また、上記各実施形態や変形例の技術的特徴は、適宜に部分的に組み合わせたり置換したりして実施することができる。また、各構成や形状のスペック（構造や、種類、方向、形状、大きさ、長さ、幅、厚さ、高さ、数、配置、位置、材質等）は、適宜に変更して実施することができる。
【符号の説明】
【００５８】
１Ａ…テレビジョン受像機（電子機器）、１Ｂ〜１Ｎ，１Ｐ〜１Ｓ…電子機器、３Ａ，３Ｂ，３Ｎ，３Ｊ…筐体、３ｋ…壁部（第一の壁部）、３ｍ…壁部（第二の壁部）、３ｎ…壁部（第三の壁部）、３ｖ…開口部、４…ディスプレイ、４ａ…面（前面）、４ｂ…面（後面）、７…部品、９…フラットケーブル、１０…ドライバ基板、１３ｄ，１３ｅ…端部、１３ｇ…曲部、１３ｈ…開口部（第二の開口部）、１３ｊ…露出部、７２…アンテナ、１３１…部分（支持部）、１３２…部分（覆部）、Ｓ…収容室。
【図１】
2014048362.tif 000003
【図２】
2014048362.tif 000004
【図３】
2014048362.tif 000005
【図４】
2014048362.tif 000006
【図５】
2014048362.tif 000007
【図６】
2014048362.tif 000008
【図７】
2014048362.tif 000009
【図８】
2014048362.tif 000010
【図９】
2014048362.tif 000011
【図１０】
2014048362.tif 000012
【図１１】
2014048362.tif 000013
【図１２】
2014048362.tif 000014
【図１３】
2014048362.tif 000015
【図１４】
2014048362.tif 000016
【図１５】
2014048362.tif 000017
【図１６】
2014048362.tif 000018
【図１７】
2014048362.tif 000019
【図１８】
2014048362.tif 000020
【図１９】
2014048362.tif 000021
【図２０】
2014048362.tif 000022
【図２１】
2014048362.tif 000023
【図２２】
2014048362.tif 000024
【図２３】
2014048362.tif 000025
【図２４】
2014048362.tif 000026
【図２５】
2014048362.tif 000027
【図２６】
2014048362.tif 000028
【図２７】
2014048362.tif 000029
【図２８】
2014048362.tif 000030
【図２９】
2014048362.tif 000031
【図３０】
2014048362.tif 000032
【図３１】
2014048362.tif 000033
【図３２】
2014048362.tif 000034
【図３３】
2014048362.tif 000035
【図３４】
2014048362.tif 000036